(57)【要約】【課題】  病室の天井近傍に設置して、点滴容器を移動自在に吊り下げる点滴用レール構造を提供する。【解決手段】  病室１１の天井１６に設けられた間仕切り用のカーテンレール１２と、該カーテンレール１２が所定の間隔を開けて平行に設けられた部位間に、移動自在に掛け渡された所定長さの点滴用レール１３とから構成され、前記カーテンレール１２は、上板部１２ａと両方の側板部１２ｂ、１２ｂと下板部１２ｃとからなる角管状に形成されると共に、前記上板部１２ａに長さ方向に沿ったガイド溝１８ａ、１８ｂを有し、且つ前記下板部１２ｃに長さ方向に沿ったカーテンレール溝１９が形成され、前記点滴用レール１３は、上板部１３ａと両方の側板部１３ｂ、１３ｂと下板部１３ｃとからなる角管状に形成されると共に、前記ガイド溝１８ａ、１８ｂを移動する回転ローラ２３を両端部に有し、且つ前記下板部１３ｃに長さ方向に沿った点滴用レール溝２４が形成され、該点滴用レール溝２４にランナー２５を移動自在に備える点滴用レール構造である。【選択図】  図３
2005230071.tif 000002
【特許請求の範囲】
【請求項１】
室内の天井に設けられた間仕切り用のカーテンレールと、
該カーテンレールが所定の間隔を開けて平行に設けられた部位間に、移動自在に掛け渡された所定長さの点滴用レールとから構成され、
前記カーテンレールは、上板部と両方の側板部と下板部とからなる角管状に形成されると共に、前記上板部に長さ方向に沿ったガイド溝を有し、且つ前記下板部に長さ方向に沿ったカーテンレール溝が形成され、
前記点滴用レールは、上板部と両方の側板部と下板部とからなる角管状に形成されると共に、前記ガイド溝を移動する移動手段を両端部に有し、且つ前記下板部に長さ方向に沿った点滴用レール溝が形成され、該点滴用レール溝にランナーを移動自在に備えること
を特徴とする点滴用レール構造。
【請求項２】
前記移動手段は、回転ローラであることを特徴とする請求項１に記載の点滴用レール構造。
【発明の詳細な説明】
【技術分野】
【０００１】
本発明は、病室の天井近傍に設置して、点滴容器を移動自在に吊り下げる点滴用レール構造に関するものである。
【背景技術】
【０００２】
従来の点滴用レールとしては、例えば、特開平１１−９６６１号公報中に開示された構成の点滴用レールが従来例として知られている。この点滴用レールは、断面が略長方形状に形成された長尺な管状部材であり、下部には長さ方向に沿ってガイド溝が形成されており、病室の天井等に取り付けられる。そして、ガイド溝に沿ってランナーが移動自在に設けられている。このランナーにはフックが設けられており、このフックに点滴容器を吊り下げるのである（特許文献１参照）。
【特許文献１】特開平１１−９６６１号公報（図１乃至図３、及び図５）。
【０００３】
そして、図６（イ）に示すように、点滴用レール１は、病室２の天井におけるベッド３の両側部に沿った位置に、ネジ止め等の固着手段で取り付けられる。このように点滴用レール１がベッド３の側部に沿った天井位置に設置されることにより、患者の側部近傍の最適位置に点滴容器を吊り下げることができるのである。
【０００４】
また、病室２の天井には、所定のスペースごとに間仕切るためのカーテンレール４が設置されており、このカーテンレール４にカーテンを取り付けてベッド３の周囲を間仕切ることができるようになっている。なお、図６（イ）（ロ）中の符号５は、ベッド３の脇に設置された収納ボックスを示し、符号６は病室２の壁部を示し、符号７は柱を示す。
【発明の開示】
【発明が解決しようとする課題】
【０００５】
この従来例の点滴用レール１においては、図６（ロ）に示すように、ベッド３の配置を替えた場合には、患者の側部近傍に点滴容器を吊り下げることができないという問題点を有している。つまり、点滴用レール１は病室２の天井に固着されているので、容易に移動することができないのである。
【０００６】
従って、従来例における点滴用レール１においては、ベッド３の配置を替えた場合でも、点滴容器を患者の側部近傍に吊り下げることができるようにすることに解決しなければならない課題を有している。
【課題を解決するための手段】
【０００７】
前記従来例の課題を解決する具体的手段として本発明は、室内の天井に設けられた間仕切り用のカーテンレールと、該カーテンレールが所定の間隔を開けて平行に設けられた部位間に、移動自在に掛け渡された所定長さの点滴用レールとから構成され、前記カーテンレールは、上板部と両方の側板部と下板部とからなる角管状に形成されると共に、前記上板部に長さ方向に沿ったガイド溝を有し、且つ前記下板部に長さ方向に沿ったカーテンレール溝が形成され、前記点滴用レールは、上板部と両方の側板部と下板部とからなる角管状に形成されると共に、前記ガイド溝を移動する移動手段を両端部に有し、且つ前記下板部に長さ方向に沿った点滴用レール溝が形成され、該点滴用レール溝にランナーを移動自在に備えることを特徴とする点滴用レール構造を提供するものである。
【０００８】
また、前記移動手段は、回転ローラである構成としたものである。
【発明の効果】
【０００９】
本発明に係る点滴用レール構造は、室内の天井に設けられた間仕切り用のカーテンレールと、該カーテンレールが所定の間隔を開けて平行に設けられた部位間に、移動自在に掛け渡された所定長さの点滴用レールとから構成され、前記カーテンレールは、上板部と両方の側板部と下板部とからなる角管状に形成されると共に、前記上板部に長さ方向に沿ったガイド溝を有し、且つ前記下板部に長さ方向に沿ったカーテンレール溝が形成され、前記点滴用レールは、上板部と両方の側板部と下板部とからなる角管状に形成されると共に、前記ガイド溝を移動する移動手段を両端部に有し、且つ前記下板部に長さ方向に沿った点滴用レール溝が形成され、該点滴用レール溝にランナーを移動自在に備えることによって、点滴用レール及びランナーが移動自在に設けられているので、病室のベッドの配置を替えた場合でも、ランナーに吊り下げた点滴容器を患者の側部近傍に位置させることができるという優れた効果を奏する。
【００１０】
また、移動手段は、回転ローラであることによって、点滴用レールがカーテンレールのガイド溝に沿ってスムーズに移動できるという優れた効果を奏する。
【発明を実施するための最良の形態】
【００１１】
病室のベッドの配置を替えた場合に、常に点滴容器を患者の側部近傍に吊り下げることができるようにするという目的を、所定の間隔を開けて平行に設けられたカンーテンレール間に、点滴用レールを移動自在に掛け渡すと共に、点滴用レールにランナーを移動自在に設けることにより実現した。
【実施例１】
【００１２】
次に、本発明の実施の形態について図面を参照しながら詳細に説明する。なお、理解容易のため、従来例に対応する部分には従来例と同一の符号を付けて説明する。
【００１３】
まず、図１は、病室１１を略示的に示す平面図であり、図中符号１２は、病室１１の天井に設けられた間仕切り用のカーテンレールを示す。このカーテンレール１２はベッド３の周囲を間仕切る状態で取り付けられており、このカーテンレール１２にカーテンを取り付けて所定のスペースを間仕切ることができるようになっている。また、符号１３は、カーテンレール１２が所定の間隔を開けて平行に設けられた部位間に移動自在に掛け渡された点滴用レールを示す。
【００１４】
カーテンレール１２は、図３（イ）及び図４に示すように、上板部１２ａと両方の側板部１２ｂ、１２ｂと下板部１２ｃとからなる角管状に形成されている。このカーテンレール１２が取付部材１４にネジ１５止めされており、更に、取付部材１４が天井１６に対してネジ１７止めによって固着されている。
【００１５】
また、上板部１２ａの両側には、長さ方向に沿って凹状のガイド溝１８ａ、１８ｂが形成されている。このように一本のカーテンレール１２に２本のガイド溝１８ａ、１８ｂが形成される理由は、図２に示すように隣同士のベッド３、３を間仕切る場合に、一方のガイド溝１８ａに対して一方のベッドで使用する点滴用レール１３を取り付け、他方のガイド溝１８ｂに対して他方のベッドで使用する点滴用レール１３を取り付けるためである。
【００１６】
更に、下板部１２ｃの略中央位置には、長さ方向に沿ってカーテンレール溝１９が形成されている。
【００１７】
カーテンレール溝１９には、カーテン用ランナー２０が摺動自在に設けられている。このカーテン用ランナー２０は、ランナーボディ２０ａと、吊下げリング２０ｂとを有しており、この吊下げリング２０ｂにカーテンの係止具（図示せず）を係止するのである。
【００１８】
点滴用レール１３は、図３（イ）（ロ）及び図５に示すように、上板部１３ａと両方の側板部１３ｂ、１３ｂと下板部１３ｃとからなる角管状に形成されている。点滴用レール１３の両端部には、上部片２１と下部片２２とが形成されており、上部片２１の下部には支持部２６が設けられ、この支持部２６に設けられた軸部２７に回転ローラ２３が取り付けられている。この回転ローラ２３は、前記ガイド溝１８ａ、１８ｂに嵌って転動するようになっている。
【００１９】
また、下板部１３ｃの略中央位置には、長さ方向に沿って点滴用レール溝２４が形成されおり、この点滴用レール溝２４には、ランナー２５が摺動自在に設けられている。ランナー２５は、ランナーボディ２５ａと、取付部２５ｂと、フック２５ｃとを有しており、このフック２５ｃに点滴容器（図示せず）を吊り下げるのである。
【００２０】
以上のように構成された点滴用レール構造は、点滴用レール１３の両端部に回転ローラ２３（移動手段）を有すると共に、平行に設けられたカーテンレール１２の間に掛け渡されるので、点滴用レール１３が両カーテンレール１２の長さ方向に沿って移動することができる。また、点滴用レール１３の点滴用レール溝２４をランナー２５が自在に移動することができる。従って、図２に示すように、病室のベッドの配置を替えた場合でも、ランナー２５に吊り下げた点滴容器を患者の側部近傍に常に位置させることができることとなる。
【産業上の利用可能性】
【００２１】
本発明の点滴用レール構造は、点滴容器のみならず、例えば医療器具等の種々の吊下げ体を吊り下げて利用することが可能である。
【図面の簡単な説明】
【００２２】
【図１】病室１１を略示的に示す平面図である。
【図２】病室１１のベッド３の配置を替えた状態を、略示的に示す平面図である。
【図３】（イ）は、カーテンレール１２と点滴用レール１３との取付状態を一部破断して示した正面図である。（ロ）は、（イ）の要部を拡大して示した正面図である。
【図４】カーテンレール１２の斜視図である。
【図５】点滴用レール１３の斜視図である。
【図６】（イ）は、病室２を略示的に示す平面図である。（ロ）は、病室２のベッド３の配置を替えた状態を、略示的に示す平面図である。
【符号の説明】
【００２３】
１    点滴用レール
２    病室
３    ベッド
４    カーテンレール
５    収納ボックス
６    壁部
７    柱
１１  病室
１２  カーテンレール
１２ａ上板部
１２ｂ側板部
１２ｃ下板部
１３  点滴用レール
１３ａ上板部
１３ｂ側板部
１３ｃ下板部
１４  取付部材
１５  ネジ
１６  天井
１７  ネジ
１８ａ、１８ｂガイド溝
１９  カーテンレール溝
２０  カーテン用ランナー
２０ａランナーボディ
２０ｂ吊下げリング
２１  上部片
２２  下部片
２３  回転ローラ
２４  点滴用レール溝
２５  ランナー
２５ａランナーボディ
２５ｂ取付部
２５ｃフック
２６  支持部
２７  軸部
【図１】
2005230071.tif 000003
【図２】
2005230071.tif 000004
【図３】
2005230071.tif 000005
【図４】
2005230071.tif 000006
【図５】
2005230071.tif 000007
【図６】
2005230071.tif 000008